(57)【要約】      （修正有）【課題】十分な強度、寝心地および安定性を有し、短時間で容易に組み立てることができ、安全かつコンパクトに収容できる段ボール製ベッドを提供する。【解決手段】段ボール製ベッド１０１は、ベッド本体部１０と、ベッド本体部１０の上部に配置される天板１１と、ベッド本体部１０の側面部１２の少なくとも一部に固定される仕切り板１９と、を備える。ベッド本体部１０は、土台ブロック部１０ａを備え、ベッド本体部１０は、土台ブロック部１０ａが長手方向および短手方向に複数個併設されて形成されている。【選択図】図５
0003231336.tif 000002
【実用新案登録請求の範囲】
【請求項１】
段ボール製ベッドであって、
ベッド本体部と、
前記ベッド本体部の上部に配置される天板と、を備え、
前記ベッド本体部は、土台ブロック部を備え、
前記ベッド本体部は、前記土台ブロック部が長手方向および短手方向に複数個併設されて形成されていることを特徴とする、段ボール製ベッド。
【請求項２】
段ボール製ベッドであって、
ベッド本体部と、
前記ベッド本体部の上部に配置される天板と、
前記ベッド本体部の側面部の少なくとも一部に固定される仕切り板と、を備え、
前記ベッド本体部は、土台ブロック部を備え、
前記ベッド本体部は、前記土台ブロック部が長手方向および短手方向に複数個併設されて形成されていることを特徴とする、段ボール製ベッド。
【請求項３】
前記ベッド本体部の前記側面部の下側端部には、ベッド本体部側押し込み部が形成されている、請求項１または２に記載の段ボール製ベッド。
【請求項４】
前記仕切り板の下側端部には、前記ベッド本体部側押し込み部と係合するための仕切り板側押し込み部が形成され、
前記ベッド本体部側押し込み部と、前記仕切り板側押し込み部とが係合されることで、前記仕切り板が前記ベッド本体部に固定される、請求項３に記載の段ボール製ベッド。
【請求項５】
前記ベッド本体部側押し込み部および前記仕切り板側押し込み部は、それぞれ、係合片部を有し、
両係合片部が前記ベッド本体部の内側に向けて押し込み係合されることで、前記仕切り板が前記ベッド本体部に固定される、請求項４に記載の段ボール製ベッド。
【請求項６】
前記ベッド本体部は、前記側面部として、長手方向に延びる第１側面部および第２側面部と、短手方向に延びる第３側面部および第４側面部と、を備え、
前記仕切り板は、前記第１側面部、前記第３側面部および前記第４側面部に固定されている、請求項２〜５のいずれか一項に記載の段ボール製ベッド。
【請求項７】
前記土台ブロック部は、前記第１側面部および第２側面部の上側端部に設けられ、前記天板に対向して前記長手方向に延びる平面部と、前記平面部の間で前記長手方向に間隔を開けて設けられた複数の仕切り部と、を備え、
前記複数の仕切り部の間には、空間が形成されている、請求項１〜６のいずれか一項に記載の段ボール製ベッド。
【請求項８】
前記天板は、前記ベッド本体部の上部に複数枚配置されている、請求項１〜７のいずれか一項に記載の段ボール製ベッド。
【考案の詳細な説明】
【技術分野】
【０００１】
本考案は、段ボール製ベッドに関する。
【背景技術】
【０００２】
近年、台風や大地震、集中豪雨など、全国規模での自然災害が頻発しており、都道府県、市町村の各自治体、企業、店舗および住宅などの自然災害に対する対応力の強化が、以前にも増して求められている。また、今後発生することが予想されている首都直下型地震や南海トラフ巨大地震などでは、津波被害の他、大都市特有の甚大な被害も多く発生すると考えられている。
【０００３】
そのような未曾有の災害に対応するために、避難時において多くの人々が安心して快適に過ごすことができるための非常時用簡易ベッドが提案されている（例えば、特許文献１および２）。
【０００４】
特許文献１には、全ての部材がダンボールで構成された災害時に有用な簡易ベッドが記載されている。特許文献１に記載のダンボール製の簡易ベッドは、長手方向の中央を横断する折り目線の所でベッド面に対して上方に折り畳むことができる強化ダンボール製のベッド床部材と、ベッド床部材の裏面上の折り目線を中心に長手方向に対称的に、折り目線とベッド床部材の周囲３辺を取り囲むように設けられた二組のダンボール製の脚部材と、を備えている。
【０００５】
また、特許文献２には、軽量で輸送や保管も容易で、廃棄も簡単にできる組み立て式ダンボールベッドが記載されている。特許文献２に記載の組み立て式ダンボールベッドは、ダンボールシートを複数枚貼り合わせた床板と、折りたたみ式の三角形の桁、または台形の桁または井桁と、を備え、これら桁が床板の下面に複数本取り付けられている。
【先行技術文献】
【特許文献】
【０００６】
【特許文献１】実用新案登録第３２０８０３３号
【特許文献２】実用新案登録第３１８７５１１号
【考案の概要】
【考案が解決しようとする課題】
【０００７】
しかしながら、特許文献１に記載のダンボール製のベッドでは、あくまで簡易ベッドであるため、ベッド床部材が二組のダンボール製の脚部材によって支持されており、長時間使用する場合等、ベッドの強度、寝心地および安定性に問題があった。
【０００８】
また、特特許文献２に記載の組み立て式ダンボールベッドでは、床板がダンボールシートを複数枚貼り合わせたものであり、脚部材が折りたたみ式の三角形の桁、または台形の桁または井桁であるため、長時間使用する場合等、ベッドの強度、寝心地および安定性に問題があった。
【０００９】
本考案は、斯かる実情に鑑み、十分な強度、寝心地および安定性を有し、短時間で容易に組み立てることができ、安全かつコンパクトに収容できる段ボール製ベッドを提供する。
【課題を解決するための手段】
【００１０】
前記した目的を達成するために、請求項１に係る考案は、段ボール製ベッドであって、ベッド本体部と、前記ベッド本体部の上部に配置される天板と、を備え、前記ベッド本体部は、土台ブロック部を備え、前記ベッド本体部は、前記土台ブロック部が長手方向および短手方向に複数個併設されて形成されていることを特徴とする。
【００１１】
請求項２に係る考案は、段ボール製ベッドであって、ベッド本体部と、前記ベッド本体部の上部に配置される天板と、前記ベッド本体部の側面部の少なくとも一部に固定される仕切り板と、を備え、前記ベッド本体部は、土台ブロック部を備え、前記ベッド本体部は、前記土台ブロック部が長手方向および短手方向に複数個併設されて形成されていることを特徴とする。
【００１２】
請求項３に係る考案では、前記ベッド本体部の前記側面部の下側端部には、ベッド本体部側押し込み部が形成されている、のが好ましい。
【００１３】
請求項４に係る考案では、前記仕切り板の下側端部には、前記ベッド本体部側押し込み部と係合するための仕切り板側押し込み部が形成され、
前記ベッド本体部側押し込み部と、前記仕切り板側押し込み部とが係合されることで、前記仕切り板が前記ベッド本体部に固定される、のが好ましい。
【００１４】
請求項５に係る考案では、前記ベッド本体部側押し込み部および前記仕切り板側押し込み部は、それぞれ、係合片部を有し、両係合片部が前記ベッド本体部の内側に向けて押し込み係合されることで、前記仕切り板が前記ベッド本体部に固定される、のが好ましい。
【００１５】
請求項６に係る考案では、前記ベッド本体部は、前記側面部として、長手方向に延びる第１側面部および第２側面部と、短手方向に延びる第３側面部および第４側面部と、を備え、前記仕切り板は、前記第１側面部、前記第３側面部および前記第４側面部に固定されている、のが好ましい。
【００１６】
請求項７に係る考案では、前記土台ブロック部は、前記第１側面部および第２側面部の上側端部に設けられ、前記天板に対向して前記長手方向に延びる平面部と、前記平面部の間で前記長手方向に間隔を開けて設けられた複数の仕切り部と、を備え、前記複数の仕切り部の間には、空間が形成されている、のが好ましい。
【００１７】
請求項８に係る考案は、前記天板は、前記ベッド本体部の上部に複数枚配置されている、のが好ましい。
【考案の効果】
【００１８】
請求項１に係る考案によれば、ベッド本体部と、ベッド本体部の上部に配置される天板と、を備え、ベッド本体部は、土台ブロック部を備え、ベッド本体部は、土台ブロック部が長手方向および短手方向に複数個併設されて形成されているため、段ボール製ベッドとして組み立てる場合、まず、梱包された状態から、土台ブロック部を組み立てて作製する。作製した土台ブロック部を、長手方向および短手方向に複数個併設させることで、ベッド本体部を作製する。そして、ベッド本体部の上部に天板を配置することで、段ボール製ベッドが完成する。
【００１９】
段ボール製ベッドを分解する場合、ベッド本体部から天板を外し、各土台ブロック部を分解し、梱包された状態に戻すことができる。これにより、十分な強度、寝心地および安定性を有し、短時間で容易に組み立てることができ、安全かつコンパクトに収容できる段ボール製ベッドを提供することができる。
【００２０】
請求項２に係る考案によれば、ベッド本体部と、ベッド本体部の上部に配置される天板と、ベッド本体部の側面部の少なくとも一部に固定される仕切り板と、を備え、ベッド本体部は、土台ブロック部を備え、ベッド本体部は、土台ブロック部が長手方向および短手方向に複数個併設されて形成されているため、段ボール製ベッドとして組み立てる場合、まず、梱包された状態から、土台ブロック部を作製し、作成した土台ブロック部を、長手方向および短手方向に複数個併設させることで、ベッド本体部を作製する。そして、ベッド本体部の上部に天板を配置する。次に、ベッド本体部の側面部の少なくとも一部に仕切り板を固定することで、段ボール製ベッドが完成する。
【００２１】
段ボール製ベッドを分解する場合、ベッド本体部の側面部から仕切り板を外し、ベッド本体部から天板を外し、各土台ブロック部を分解し、梱包された状態に戻すことができる。これにより、十分な強度、寝心地および安定性を有し、短時間で容易に組み立てることができ、安全かつコンパクトに収容できる段ボール製ベッドを提供することができる。さらに、仕切り板を備えているため、仕切り板を備えていない場合に比し、ベッドを使用している人が、ベッドにいる姿を他の人に見られる虞が少なく、より快適な寝心地を得ることができる。
【００２２】
請求項３に係る考案によれば、ベッド本体部の側面部の下側端部には、ベッド本体部側押し込み部が形成されているため、例えば、ベッドを使用する人が、他の人の視線が気になる場合、ベッド本体部側押し込み部に対応した押し込み部を備える仕切り板を準備することで、ベッド本体部の側面部に仕切り板を容易に固定することができる。
【００２３】
請求項４に係る考案によれば、仕切り板の下側端部には、ベッド本体部側押し込み部と係合するための仕切り板側押し込み部が形成され、ベッド本体部側押し込み部と、仕切り板側押し込み部とが係合されることで、仕切り板がベッド本体部に固定されるため、ベッド本体部側押し込み部および仕切り板側押し込み部といった簡単な構成によって、仕切り板をベッド本体部に容易に固定することができる。
【００２４】
請求項５に係る考案によれば、ベッド本体部側押し込み部および仕切り板側押し込み部は、それぞれ、係合片部を有し、両係合片部がベッド本体部の内側に向けて押し込み係合されることで、仕切り板がベッド本体部に固定されるため、ベッド本体部側押し込み部および仕切り板側押し込み部のそれぞれに設けられた係合片部を、ベッド本体部の内側に向けてそれぞれ押し込むといった簡単な操作で、仕切り板をベッド本体部に容易に係合固定することができる。
【００２５】
請求項６に係る考案によれば、ベッド本体部は、側面部として、長手方向に延びる第１側面部および第２側面部と、短手方向に延びる第３側面部および第４側面部と、を備え、仕切り板は、第１側面部、第３側面部および第４側面部に固定されているため、ベッドを使用している人が、ベッドにいる姿を、仕切り板によって他の人に見られる虞が少なく、かつ仕切り板を設けていない第２側面部からベッドからの乗り降りをスムーズに行うことができる。
【００２６】
請求項７に係る考案によれば、土台ブロック部は、第１側面部および第２側面部の上側端部に設けられ、天板に対向して長手方向に延びる平面部と、平面部の間で長手方向に間隔を開けて設けられた複数の仕切り部と、を備え、複数の仕切り部の間には、空間が形成されているため、天板をベッド本体部（土台ブロック部の平面部）に安定的に配置することができる。また、複数の仕切り部の間に形成された空間が収納スペースとなり、例えば、災害時等に、防災グッズや飲料、食料等を空間内に収納することができる。
【００２７】
請求項８に係る考案によれば、天板は、ベッド本体部の上部に複数枚配置されているため、ベッド本体部の耐重量性や寝心地、防寒性等を増加させることができる。
【図面の簡単な説明】
【００２８】
【図１】（ａ）は、本考案の第１の実施形態に係るダンボール製ベッドの斜視図であり、（ｂ）は、同実施形態に係るダンボール製ベッドの正面図である。
【図２】（ａ）は、本考案の第１および第２の実施形態に係るダンボール製ベッドの土台ブロック部の斜視図であり、（ｂ）は、本考案の第１および第２の実施形態に係るダンボール製ベッドの土台ブロック部の展開図である。
【図３】本考案の第１および第２の実施形態に係るダンボール製ベッドの仕切り部の正面図である。
【図４】本考案の第１および第２の実施形態に係るダンボール製ベッドの天板の平面図である。
【図５】（ａ）は、本考案の第２の実施形態に係るダンボール製ベッドの斜視図であり、（ｂ）は、同実施形態に係るダンボール製ベッドの正面図である。
【図６】（ａ）は、本考案の第１および第２の実施形態に係るダンボール製ベッドの右側仕切り板の平面図であり、（ｂ）は、本考案の第１および第２の実施形態に係るダンボール製ベッドの左側仕切り板の平面図である。
【図７】本考案の第１および第２の実施形態に係るダンボール製ベッドが梱包された状態を示す図である。
【図８−１】本考案の第１および第２の実施形態に係るダンボール製ベッドの組み立て手順を示す図である。
【図８−２】本考案の第１および第２の実施形態に係るダンボール製ベッドの組み立て手順を示す図である。
【図９ａ】本考案の第２の実施形態に係るダンボール製ベッドのベッド本体部側押し込み部および仕切り板側押し込み部の斜視図である。
【図９ｂ】ベッド本体部側押し込み部および仕切り板側押し込み部を、ベッド本体部の内側に押し込む様子を示す図である。
【図９ｃ】ベッド本体部側押し込み部および仕切り板側押し込み部をベッド本体部の内側に押し込んだ状態を示す図である。
【図９ｄ】ベッド本体部側押し込み部および仕切り板側押し込み部が、押し込み係合された状態を示す図である。
【考案を実施するための形態】
【００２９】
以下、本考案の第１の実施形態に係るダンボール製ベッドについて、添付図面を参照して詳細に説明する。
【００３０】
図１（ａ），（ｂ）に示すように、本考案の第１の実施形態に係るダンボール製ベッド１００は、ベッド本体部１０と、ベッド本体部１０の上部に配置される天板１１と、を備える。
【００３１】
ベッド本体部１０は、側面部１２として、長手方向に延びる第１側面部１２ａおよび第２側面部１２ｂと、短手方向に延びる第３側面部１２ｃおよび第４側面部１２ｄと、を備える。
【００３２】
図１（ａ），（ｂ）および図２（ａ），（ｂ）に示すように、ベッド本体部１０は、土台ブロック部１０ａを備える。ベッド本体部１０は、土台ブロック部１０ａが長手方向および短手方向に複数個併設されて形成されている。本実施形態において、ベッド本体部１０は、土台ブロック部１０ａが長手方向および短手方向に４個併設されて形成されている。本実施形態において、ベッド本体部１０は、長手方向の長さが１９０ｃｍ、幅（短手方向の長さ）が９０ｃｍ、高さが４０ｃｍである。
【００３３】
本実施形態において、ベッド本体部１０は、ハウスダストの影響等を考慮し、また、ベッドの使用者が負担なく立ち上がれるように、４０ｃｍの高さに設定されているが、これに限定されるものではなく、適宜変更可能である。
【００３４】
ベッド本体部１０の側面部１２の下側端部には、ベッド本体部側押し込み部１３が形成されている。本実施形態において、第１側面部１２ａ、第２側面部１２ｂ、第３側面部１２ｃおよび第４側面部１２ｄの下側端部には、それぞれ、ベッド本体部側押し込み部１３が２個ずつ形成されている。ベッド本体部側押し込み部１３の詳細な構成については、後述する。
【００３５】
土台ブロック部１０ａは、第１側面部１２ａおよび第２側面部１２ｂの上側端部に設けられ、天板１１に対向して長手方向に延びる平面部１４ａ，１４ｂと、平面部１４ａ，１４ｂの間で長手方向に間隔を開けて設けられた複数の仕切り部１５ａ，１５ｂ・・・と、を備える。第３側面部１２ｃおよび第４側面部１２ｄと、複数の仕切り部１５ａ，１５ｂ・・・との間には、空間Ｓが形成されている（図２（ａ）を参照のこと）。
【００３６】
本実施形態において、土台ブロック部１０ａは、平面部１４ａ，１４ｂの間で長手方向に間隔を開けて設けられた３枚の仕切り部１５ａ，１５ｂ，１５ｃを備え、第３側面部１２ｃおよび第４側面部１２ｄと、仕切り部１５ａ，１５ｂ，１５ｃとの間には、４つの空間Ｓ１，Ｓ２，Ｓ３，Ｓ４が形成されている。
【００３７】
ここで、図２（ｂ）に示すように、土台ブロック部１０ａは、第１側面部１２ａおよび第２側面部１２ｂの上側端部のそれぞれに、長手方向に延びる平坦部１６ａ，１６ｂと、平坦部１６ａ，１６ｂと長手方向に同じ長さを有し、短手方向に複数の溝部１７ａ，１７ｂ，１７ｃおよび１８ａ，１８ｂ，１８ｃを有する折り曲げ部１６ｃ，１６ｄと、を有する。
【００３８】
段ボール製ベッド１００を組み立てる際に、第１側面部１２ａおよび第２側面部１２ｂの上側端部から短手方向（段ボール製ベッド１００の内側）に向けて、平坦部１６ａ，１６ｂを折り曲げ、さらに、平坦部１６ａ，１６ｂに対して、折り曲げ部１６ｃ，１６ｄを、短手方向から段ボール製ベッド１００の底部に向けて折り込むことで、上述の平面部１４ａ，１４ｂが形成される（図２（ａ）を参照のこと）。
【００３９】
本実施形態において、土台ブロック部１０ａは、図３に示すように、３枚の仕切り部１５ａ，１５ｂ，１５ｃに対応する３枚の仕切り板１５ｄ，１５ｅ，１５ｆを備える。すなわち、後述するように、段ボール製ベッド１００を組み立てる際に、段ボール製ベッド１００の裏面から、３枚の仕切り板１５ｄ，１５ｅ，１５ｆを、折り曲げ部１６ｃ，１６ｄの複数の溝部１７ａ，１７ｂ，１７ｃおよび１８ａ，１８ｂ，１８ｃに差し込むことで、仕切り部１５ａ，１５ｂ，１５ｃが形成される。
【００４０】
図４に示す天板１１は、ベッド本体部１０の上部に複数枚配置されている。本実施形態において、天板１１は、ベッド本体部１０の上部に２枚重ねて配置されている。天板１１の長手方向の長さは、ベッド本体部１０の長手方向の長さと略同じであり、天板１１の短手方向の長さは、ベッド本体部１０の短手方向の長さと略同じである。本実施形態において、天板１１の長手方向の長さは１９０ｃｍ、幅（短手方向の長さ）が９０ｃｍであるが、これに限定されるものではなく、適宜変更可能である。
【００４１】
以下、本考案の第２の実施形態に係るダンボール製ベッドについて、添付図面を参照して詳細に説明する。第２の実施形態に係るダンボール製ベッドは、ベッド本体部の側面部の少なくとも一部に固定される仕切り板を備える以外は、第１の実施形態に係るダンボール製ベッドと同様の構成を備える。第２の実施形態に係るダンボール製ベッドにおいて、第１の実施形態に係るダンボール製ベッドと同様の構成については、同じ参照符号を付して詳細な説明を繰り返さない。
【００４２】
すなわち、図５（ａ），（ｂ）に示すように、第２の実施形態に係るダンボール製ベッド１０１は、ベッド本体部１０と、ベッド本体部１０の上部に配置される天板１１と、ベッド本体部１０の側面部の少なくとも一部に固定される仕切り板１９と、を備える。
【００４３】
ベッド本体部１０の側面部１２の下側端部には、ベッド本体部側押し込み部１３，１３が形成され、仕切り板１９の下側端部には、ベッド本体部側押し込み部１３，１３と係合するための仕切り板側押し込み部２０，２０が形成されている。ベッド本体部側押し込み部１３，１３と、仕切り板側押し込み部２０，２０とが係合されることで、仕切り板１９がベッド本体部１０に固定される。
【００４４】
より具体的には、本実施形態において、ベッド本体部側押し込み部１３，１３および仕切り板側押し込み部２０，２０は、それぞれ、係合片部１３ａ，１３ｂおよび２０ａ，２０ｂを有する。ベッド本体部１０の側面部１２に仕切り板１９を重ね合わせ、両係合片部１３ａ，１３ｂおよび２０ａ，２０ｂがベッド本体部１０の内側に向けて押し込み係合されることで、仕切り板１９がベッド本体部１０に固定される。
【００４５】
両係合片部１３ａ，１３ｂおよび２０ａ，２０ｂの中央側端部には、切り欠き部２１ａ，２１ｂおよび２２ａ，２２ｂが形成されている（図９（ａ）を参照のこと）。切り欠き部２１ａ，２１ｂおよび２２ａ，２２ｂに指を入れて把持することで、両係合片部１３ａ，１３ｂおよび２０ａ，２０ｂを、ベッド本体部１０の内側に向けて押し込みやすくなる。ベッド本体部１０の内側に向けて押し込みやすくするために、切り欠き部２１ａ，２１ｂおよび２２ａ，２２ｂが形成されているが、これに限定されるものではなく、把持しやすい構成であればよい。
【００４６】
図６（ａ），（ｂ）に示すように、仕切り板１９は、ベッド本体部１０の右側に位置する右側仕切り板１９ａと、ベッド本体部１０の左側に位置する左側仕切り板１９ｂと、を備える。右側仕切り板１９ａおよび左側仕切り板１９ｂは、長手方向の長さが１８６３ｍｍであり、高さが９０ｃｍである。右側仕切り板１９ａおよび左側仕切り板１９ｂは、プライバシーの確保のため、９０ｃｍの高さにしているが、これに限定されるものではなく、適宜変更可能である。
【００４７】
以下、本考案の第１および第２の実施形態に係るダンボール製ベッドの組み立て手順について、添付図面を参照して詳細に説明する。
【００４８】
図７に示すように、第１および第２の実施形態に係るダンボール製ベッドは、分解された状態で梱包材に収納可能になっている。この状態から、まず、図８に示すように、土台ブロック部１０ａを組み立てる（１）。土台ブロック部１０ａの梱包を開いた状態で床に置き（２）、図１に示した第１側面部１２ａおよび第２側面部１２ｂの上側端部から短手方向に向けて、平坦部１６ａ，１６ｂを折り曲げ（３）、さらに、平坦部１６ａ，１６ｂに対して折り曲げ部１６ｃ，１６ｄを、短手方向から段ボール製ベッド１００（１０１）の底部に向けて折り込むことで、平面部１４ａ，１４ｂが形成される（図２（ａ）を参照のこと）。
【００４９】
土台ブロック部１０ａの天地を一度ひっくり返す。そして、３枚の仕切り板１５ｄ，１５ｅ，１５ｆを、折り曲げ部１６ｃ，１６ｄの複数の溝部１７ａ，１７ｂ，１７ｃおよび１８ａ，１８ｂ，１８ｃに順に差し込む（４）。
【００５０】
土台ブロック部１０ａの天地を再度ひっくり返す。これで１台の土台ブロック部１０ａが作製される。同様に、土台ブロック部１０ａを３台組み立てて、長手方向および短手方向に４台並設する（５）。さらに、並設された４台の土台ブロック部１０ａの上部に複数枚（本実施形態では２枚）の天板１１を敷く（６）ことで、第１の実施形態に係る段ボール製ベッド１００が完成する。
【００５１】
次に、第２の実施形態に係る段ボール製ベッド１０１を作製する場合、さらに、仕切り板１９（右側仕切り板１９ａおよび左側仕切り板１９ｂ）をベッド本体部１０に設置する（７）。より具体的には、仕切り板１９（右側仕切り板１９ａおよび左側仕切り板１９ｂ）をベッド本体部１０の第１側面部１２ａ、第３側面部１２ｃおよび第４側面部１２ｄに沿わせ、ベッド本体部側押し込み部１３，１３と仕切り板側押し込み部２０，２０との位置を合わせる（図５（ａ）を参照のこと）。
【００５２】
図９（ａ）〜（ｄ）に示すように、ベッド本体部側押し込み部１３，１３の係合片部１３ａ，１３ｂと仕切り板側押し込み部２０，２０の係合片部２０ａ，２０ｂ（切り欠き部２１ａ，２１ｂおよび２２ａ，２２ｂ）に指を入れて把持し、ベッド本体部１０の内側に向けて折り込み、係合片部１３ａ，１３ｂと係合片部２０ａ，２０ｂを押し込むことで、係合片部１３ａ，１３ｂと係合片部２０ａ，２０ｂとが係止される。これにより、仕切り板１９がベッド本体部１０ａに係合固定され、第２の実施形態に係る段ボール製ベッド１０１が完成する（図８の（８））。
【００５３】
組み立てたダンボール製ベッドを分解する場合、係合片部１３ａ，１３ｂと係合片部２０ａ，２０ｂとを元の位置に戻して係合を解除し、ベッド本体部１０の側面部１２（第１側面部１２ａ、第３側面部１２ｃおよび第４側面部１２ｄ）から仕切り板１９（右側仕切り板１９ａおよび左側仕切り板１９ｂ）を外す。そして、ベッド本体部１０から天板１１を外し、各土台ブロック部１０ａを分解し、梱包された状態に戻すことができる。
【００５４】
なお、本考案のダンボール製ベッドは、上記実施形態に限定されるものではなく、本考案の要旨を逸脱しない範囲で適宜変更し得ることは勿論のことである。
【００５５】
第１および第２の実施形態において、ベッド本体部１０は、土台ブロック部１０ａが長手方向および短手方向に４個併設されて形成されているが、これに限定されるものではない。土台ブロック部１０ａが複数個併設されることで、ベッド本体部１０が形成できるものであればよい。また、土台ブロック部１０ａを１つまたは２つ用いることで、椅子やソファの代用としても利用可能である。
【００５６】
第１および第２の実施形態において、第１側面部１２ａ、第２側面部１２ｂ、第３側面部１２ｃおよび第４側面部１２ｄの下側端部には、それぞれ、ベッド本体部側押し込み部１３が２個ずつ形成されているが、これに限定されるものではない。要は、仕切り板１９がベッド本体部１０に安定的に固定されるような構成であればよい。
【００５７】
第１および第２の実施形態において、ベッド本体部側押し込み部１３，１３および仕切り板側押し込み部２０，２０は、それぞれ、係合片部１３ａ，１３ｂおよび２０ａ,２０ｂを有するが、これに限定されるものではない。要は、仕切り板１９がベッド本体部１０に安定的に固定されるような構成であればよい。
【００５８】
第１および第２の実施形態において、仕切り板１９は、第１側面部１２ａ、第３側面部１２ｃおよび第４側面部１２ｄに固定されているが、これに限定されるものではなく、適宜変更可能である。
【００５９】
第１および第２の実施形態において、土台ブロック部１０ａは、平面部１４ａ，１４ｂの間で長手方向に間隔を開けて設けられた３枚の仕切り部１５ａ，１５ｂ，１５ｃを備え、第３側面部１２ｃおよび第４側面部１２ｄと、仕切り部１５ａ，１５ｂ，１５ｃの間には、４つの空間Ｓ１，Ｓ２，Ｓ３，Ｓ４が形成されているが、これに限定されるものではない。ベッド本体部１０の強度が担保されている限り、仕切り部１５の数および仕切り部１５によって形成される空間Ｓの数は、適宜変更可能である。
【００６０】
天板１１は、ベッド本体部１０の上部に２枚重ねて配置されているが、これに限定されるものではなく、ベッド本体部１０の耐重量性や寝心地、防寒性等を担保されている限り、適宜変更可能である。
【産業上の利用可能性】
【００６１】
以上のように、本考案によれば、十分な強度、寝心地および安定性を有し、短時間で容易に組み立てることができ、安全かつコンパクトに収容できる段ボール製ベッドを提供することができる。さらに、仕切り板を備えているため、仕切り板を備えていない場合に比し、ベッドを使用している人が、ベッドにいる姿を他の人に見られる虞が少ない段ボール製ベッドを提供することができる。
【符号の説明】
【００６２】
１０・・・ベッド本体部、１０ａ・・・土台ブロック部１０ａ、１１・・・天板、１２・・・側面部、１２ａ・・・第１側面部、１２ｂ・・・第２側面部、１２ｃ・・・第３側面部、１２ｄ・・・第４側面部、１３・・・ベッド本体部側押し込み部、１４ａ，１４ｂ・・・平面部、１５ａ，１５ｂ，１５ｃ，１５ｄ・・・複数の仕切り部、１６ａ，１６ｂ・・・平坦部、１６ｃ、１６ｄ・・・折り曲げ部、１７ａ，１７ａ，１７ａ，１８ａ，１８ａ，１８ａ・・・溝部、１９・・・仕切り板、２０，２０・・・仕切り板側押し込み部、２０ａ，２０ｂ・・・係合片部、２１ａ，２１ｂ，２２ａ，２２ｂ・・・切り欠き部、１００，１０１・・・ダンボール製ベッド、Ｓ，Ｓ１，Ｓ２，Ｓ３，Ｓ４・・・空間。
【図１】
0003231336.tif 000003
【図２】
0003231336.tif 000004
【図３】
0003231336.tif 000005
【図４】
0003231336.tif 000006
【図５】
0003231336.tif 000007
【図６】
0003231336.tif 000008
【図７】
0003231336.tif 000009
【図８−１】
0003231336.tif 000010
【図８−２】
0003231336.tif 000011
【図９ａ】
0003231336.tif 000012
【図９ｂ】
0003231336.tif 000013
【図９ｃ】
0003231336.tif 000014
【図９ｄ】
0003231336.tif 000015
【手続補正書】
【提出日】令和3年1月22日(2021.1.22)
【手続補正１】
【補正対象書類名】実用新案登録請求の範囲
【補正対象項目名】全文
【補正方法】変更
【補正の内容】
【実用新案登録請求の範囲】
【請求項１】
段ボール製ベッドであって、
ベッド本体部と、
前記ベッド本体部の上部に配置される天板と、を備え、
前記ベッド本体部は、土台ブロック部を備え、
前記ベッド本体部は、前記土台ブロック部が長手方向および短手方向に複数個併設されて形成されていることを特徴とする、段ボール製ベッド。
【請求項２】
段ボール製ベッドであって、
ベッド本体部と、
前記ベッド本体部の上部に配置される天板と、
前記ベッド本体部の側面部の少なくとも一部に固定される仕切り板と、を備え、
前記ベッド本体部は、土台ブロック部を備え、
前記ベッド本体部は、前記土台ブロック部が長手方向および短手方向に複数個併設されて形成されていることを特徴とする、段ボール製ベッド。
【請求項３】
前記ベッド本体部の前記側面部の下側端部には、ベッド本体部側押し込み部が形成されている、請求項２に記載の段ボール製ベッド。
【請求項４】
前記仕切り板の下側端部には、前記ベッド本体部側押し込み部と係合するための仕切り板側押し込み部が形成され、
前記ベッド本体部側押し込み部と、前記仕切り板側押し込み部とが係合されることで、前記仕切り板が前記ベッド本体部に固定される、請求項３に記載の段ボール製ベッド。
【請求項５】
前記ベッド本体部側押し込み部および前記仕切り板側押し込み部は、それぞれ、係合片部を有し、
両係合片部が前記ベッド本体部の内側に向けて押し込み係合されることで、前記仕切り板が前記ベッド本体部に固定される、請求項４に記載の段ボール製ベッド。
【請求項６】
前記ベッド本体部は、前記側面部として、長手方向に延びる第１側面部および第２側面部と、短手方向に延びる第３側面部および第４側面部と、を備え、
前記仕切り板は、前記第１側面部、前記第３側面部および前記第４側面部に固定されている、請求項２〜５のいずれか一項に記載の段ボール製ベッド。
【請求項７】
前記土台ブロック部は、前記第１側面部および第２側面部の上側端部に設けられ、前記天板に対向して前記長手方向に延びる平面部と、前記平面部の間で前記長手方向に間隔を開けて設けられた複数の仕切り部と、を備え、
前記複数の仕切り部の間には、空間が形成されている、請求項６に記載の段ボール製ベッド。
【請求項８】
前記天板は、前記ベッド本体部の上部に複数枚配置されている、請求項１〜７のいずれか一項に記載の段ボール製ベッド。